(57)【特許請求の範囲】
【請求項１】
画像データを生成する画像生成手段と、
表示部への表示を制御する表示制御手段と、
ネットワークへ接続するための設定情報を設定するための操作手段と、
前記設定情報に基づいて外部装置と通信し、前記画像データを送信可能な通信手段と、
予め設定された消去開始動作状態が発生したときに、前記ネットワークへ接続するための設定の一部又は全ての項目を消去する消去手段とを備え、
前記表示制御手段は、前記操作手段により前記設定情報を入力させるための第１の設定画面を表示部に表示するよう制御し、
前記表示制御手段は、さらに、前記第１の設定画面において入力された設定情報のうち、前記消去手段により消去する設定情報を前記操作手段により予め選択させるための第２の設定画面を前記表示部に表示するよう制御することを特徴とする画像処理装置。
【請求項２】
前記消去開始動作状態として、ユーザによる電源オフ、自動電源オフ、着脱可能な記録媒体の取り外し、電池の取り外し、所定時間だけ通信動作が行われないことの少なくともいずれか一つが設定可能であることを特徴とする請求項１に記載の画像処理装置。
【請求項３】
前記消去手段により消去された前記ネットワークへ接続するための設定を再設定する入力手段を備えたことを特徴とする請求項１又は２に記載の画像処理装置。
【請求項４】
前記ネットワークへ接続するための設定は、ＴＣＰ／ＩＰに関する設定、ＦＴＰに関する設定、無線通信に関する設定、シリアル通信に関する設定、パラレル通信に関する設定の少なくとも一つを含むことを特徴とする請求項１乃至３のいずれか１項に記載の画像処理装置。
【請求項５】
前記予め設定された消去開始動作状態が発生する条件は複数あり、
前記第２の設定画面では、前記消去開始動作状態が発生する条件ごとに前記消去手段により消去する設定情報を選択可能であることを特徴とする請求項１乃至４のいずれか１項に記載の画像処理装置。
【請求項６】
位置情報を検知する位置検知手段をさらに有し、
前記予め設定された消去開始動作状態は、位置情報の変化に基づいて発生することを特徴とする請求項１乃至５のいずれか１項に記載の画像処理装置。
【請求項７】
前記画像処理装置の操作者を認識する認識手段をさらに有し、
前記予め設定された消去開始動作状態は、前記画像処理装置の操作者が変更されたと認識された場合に発生することを特徴とする請求項１乃至５のいずれか１項に記載の画像処理装置。
【請求項８】
前記予め設定された消去開始動作状態は、前記画像処理装置の電源が所定期間入れられていない場合に発生することを特徴とする請求項１乃至５のいずれか１項に記載の画像処理装置。
【請求項９】
前記予め設定された消去開始動作状態は、前記通信手段による通信が所定期間行われていない場合に発生することを特徴とする請求項１乃至５のいずれか１項に記載の画像処理装置。
【請求項１０】
メモリカードと接続する接続手段をさらに有し、
前記予め設定された消去開始動作状態は、前記画像処理装置から前記メモリカードが取り外された場合に発生することを特徴とする請求項１乃至５のいずれか１項に記載の画像処理装置。
【請求項１１】
画像データを生成する画像生成手段と、
表示部への表示を制御する表示制御手段と、
ネットワークへ接続するための設定情報を設定するための操作手段と、
前記設定情報に基づいて外部装置と通信し、前記画像データを送信可能な通信手段と、
予め設定された消去開始動作状態が発生したときに、前記ネットワークへ接続するための設定の一部又は全ての項目を消去する消去手段とを備えた画像処理装置の制御方法であって、
前記表示制御手段が、前記操作手段により前記設定情報を入力させるための第１の設定画面を表示部に表示するよう制御する手順と、
前記表示制御手段が、さらに、前記第１の設定画面において入力された設定情報のうち、前記消去手段により消去する設定情報を前記操作手段により予め選択させるための第２の設定画面を前記表示部に表示するよう制御する手順とを有することを特徴とする画像処理装置の制御方法。
【請求項１２】
画像データを生成する画像生成手段と、
表示部への表示を制御する表示制御手段と、
ネットワークへ接続するための設定情報を設定するための操作手段と、
前記設定情報に基づいて外部装置と通信し、前記画像データを送信可能な通信手段と、
予め設定された消去開始動作状態が発生したときに、前記ネットワークへ接続するための設定の一部又は全ての項目を消去する消去手段とを備えた画像処理装置を制御するためのコンピュータプログラムであって、
前記表示制御手段が、前記操作手段により前記設定情報を入力させるための第１の設定画面を表示部に表示するよう制御する手順と、
前記表示制御手段が、さらに、前記第１の設定画面において入力された設定情報のうち、前記消去手段により消去する設定情報を前記操作手段により予め選択させるための第２の設定画面を前記表示部に表示するよう制御する手順とをコンピュータに実行させることを特徴とするコンピュータプログラム。
【発明の詳細な説明】
【技術分野】
【０００１】
本発明は、ネットワークへ接続するための設定に基づいて画像データを通信可能な通信機能を有する画像処理装置、その制御方法、及びコンピュータプログラムに関する。
【背景技術】
【０００２】
近年、急速に普及しつつあるデジタルカメラは、従来の銀塩カメラが被写体像をフィルム面上に結像させ、画像を化学的にアナログ記録するのに対し、ＣＣＤセンサ等で撮像した画像をメモリカード等の記録媒体に電気的にデジタル記録するものである。
【０００３】
デジタル記録されたデジタルデータは、コンピュータによって容易に加工することができ、かつネットワーク等を介して容易に伝送することができるため、撮影された画像はほとんど時間差なく任意の場所で受け取ることが可能である。
【０００４】
また、記録されたデジタルデータをコンピュータ等の機器を介することなく、直接ネットワークへ伝送可能な通信機能を有するデジタルカメラへの期待も高まっている。
【０００５】
一方、直接ネットワークへ伝送可能な通信機能を有するデジタルカメラにおいては、ネットワークへ接続するための設定（以下、「通信プロファイル」と称す）を行う必要がある。
【０００６】
通信プロファイルにはＴＣＰ／ＩＰ設定やＦＴＰクライアント設定等多くの文字を入力する必要があるものもあり、キーボード等の入力手段を持たないデジタルカメラでは通信プロファイルの入力は非常に手間がかかってしまう。
【０００７】
そのため、通信機能を使用するときに通信プロファイルを一度設定すると、その後は通信機能の使用の有無に関わらず、通信プロファイルが設定されたままの状態でカメラを使用する場合がほとんどである。
【０００８】
また、ネットワーク接続が可能となった場合には、不正アクセス等、セキュリティ面においての対策を講じる必要がある。ネットワーク通信に関する不正アクセス対策等に関する関連技術として、例えば特許文献１に開示されたものがある。
【０００９】
【特許文献１】特開２００３−３１８９３９号公報
【発明の開示】
【発明が解決しようとする課題】
【００１０】
しかしながら、通信プロファイルが設定されたままになっていると、本来通信する必要がないにもかかわらず、誤って画像データを送信してしまうことが考えられる。
【００１１】
また、一台のデジタルカメラを複数のユーザで使用するような場合には、通信プロファイルが設定されたままのデジタルカメラを長時間放置していると、他のユーザにより勝手に画像データが送信されてしまうことが考えられる。
【００１２】
本発明は係る実情に鑑みてなされたものであり、通信機能を有する画像処理装置において、画像データを誤って送信したり、他のユーザと画像処理装置を共有した際に画像データが勝手に送信されたりする等の情報の漏洩を防止することを目的とする。
【課題を解決するための手段】
【００１３】
本発明の画像処理装置は、画像データを生成する画像生成手段と、表示部への表示を制御する表示制御手段と、ネットワークへ接続するための設定情報を設定するための操作手段と、前記設定情報に基づいて外部装置と通信し、前記画像データを送信可能な通信手段と、予め設定された消去開始動作状態が発生したときに、前記ネットワークへ接続するための設定の一部又は全ての項目を消去する消去手段とを備え、前記表示制御手段は、前記操作手段により前記設定情報を入力させるための第１の設定画面を表示部に表示するよう制御し、前記表示制御手段は、さらに、前記第１の設定画面において入力された設定情報のうち、前記消去手段により消去する設定情報を前記操作手段により予め選択させるための第２の設定画面を前記表示部に表示するよう制御することを特徴とする。
また、本発明の画像処理装置の制御方法は、画像データを生成する画像生成手段と、表示部への表示を制御する表示制御手段と、ネットワークへ接続するための設定情報を設定するための操作手段と、前記設定情報に基づいて外部装置と通信し、前記画像データを送信可能な通信手段と、予め設定された消去開始動作状態が発生したときに、前記ネットワークへ接続するための設定の一部又は全ての項目を消去する消去手段とを備えた画像処理装置の制御方法であって、前記表示制御手段が、前記操作手段により前記設定情報を入力させるための第１の設定画面を表示部に表示するよう制御する手順と、前記表示制御手段が、さらに、前記第１の設定画面において入力された設定情報のうち、前記消去手段により消去する設定情報を前記操作手段により予め選択させるための第２の設定画面を前記表示部に表示するよう制御する手順とを有することを特徴とする。
また、本発明のコンピュータプログラムは、画像データを生成する画像生成手段と、表示部への表示を制御する表示制御手段と、ネットワークへ接続するための設定情報を設定するための操作手段と、前記設定情報に基づいて外部装置と通信し、前記画像データを送信可能な通信手段と、予め設定された消去開始動作状態が発生したときに、前記ネットワークへ接続するための設定の一部又は全ての項目を消去する消去手段とを備えた画像処理装置を制御するためのコンピュータプログラムであって、前記表示制御手段が、前記操作手段により前記設定情報を入力させるための第１の設定画面を表示部に表示するよう制御する手順と、前記表示制御手段が、さらに、前記第１の設定画面において入力された設定情報のうち、前記消去手段により消去する設定情報を前記操作手段により予め選択させるための第２の設定画面を前記表示部に表示するよう制御する手順とをコンピュータに実行させることを特徴とする。
【発明の効果】
【００１４】
本発明の画像処理装置によれば、画像データを誤って送信したり、他のユーザと画像処理装置を共有した際に画像データが勝手に送信されたりする等の情報の漏洩を防止することができる。
【発明を実施するための最良の形態】
【００１５】
（第１の実施の形態）
以下、図面を基に本発明の第１の実施の形態に係る画像処理装置の説明をする。図１は、本実施の形態の画像処理装置であるデジタルカメラの主要な機能構成を示すブロック図である。
【００１６】
図１において、制御部１０３は、プログラム記憶部１０５に予め格納されているプログラムに従って画像処理装置全体の制御を行う。撮像部１０１は、撮像センサ（例えばＣＭＯＳエリアセンサ等）、Ａ／Ｄ変換器等からなる。撮影パラメータに従った撮像動作によって撮像センサ上に被写体像が形成され、その像信号はＡ／Ｄ変換器でＡ／Ｄ変換される。そして、現像処理部１０２で現像パラメータに従った現像処理と圧縮処理が施された後、データバス１１０を介して、一旦メモリ部１０７に格納される。メモリ部１０７に格納された画像データは必要に応じて表示部１０４に表示される。
【００１７】
ここで、撮影パラメータとは、カメラの撮影制御に関する設定のことで、露出モード（マニュアル・オート・絞り優先・シャッター速度優先等）やフォーカスモード（オートフォーカス・マニュアルフォーカス等）、あるいはドライブモード（単写・連写）等は全て撮影パラメータに相当する。
【００１８】
また、現像パラメータとは、デジタル画像の画質に関する設定のことで、デジタル画像のホワイトバランス、色補間、色補正、γ変換、エッジ強調、記録方式または圧縮率に関するパラメータは全て現像パラメータに相当する。１つ以上の現像パラメータを用いて、デジタル画像の画質を調整（変更）する処理のことを現像処理と呼ぶ。
【００１９】
その後、メモリ部１０７に格納された画像データに対し、撮影情報や現像パラメータ等からなるヘッダー情報が付加され、画像ファイルとしてメモリカード・インタフェース（以下、インタフェースはＩ／Ｆと略する）１０９を介して、着脱可能な記録媒体であるメモリカード１１３に書き込まれる。
【００２０】
また、画像ファイルはシリアルＩ／Ｆ１０８を介して、シリアルバス１１１へも出力でき、不図示のパーソナルコンピュータ等の情報処理端末へ容易に画像データを転送することができる。あるいは、シリアルバス１１１にプリンタ等の出力装置が接続された場合には画像を印刷することが可能である。
【００２１】
また、画像ファイルは通信部１０６を介して、ネットワーク回線１１２へも出力でき、ネットワークにおける画像ファイルの配布も容易に行うことができる。この場合に、通信部１０６による通信は通信プロファイルに基づいて行われる。なお、ネットワーク回線１１２は有線であってもよいし、無線であってもよい。
【００２２】
また、メモリカード１１３に書き込まれた画像ファイルを表示部１０４に再生するときは、メモリカード１１３からメモリカードＩ／Ｆ１０９を介して画像ファイルを読み出し、メモリ部１０７へ格納した後、表示部１０４へ表示する。
【００２３】
図２（ａ）は本実施の形態に係る画像処理装置における通信プロファイルの設定画面の一例を示す図である。本設定画面は表示部１０４にて表示される。
【００２４】
通信プロファイルに関する各種設定は、表示部１０４に表示される画面を見ながら、図示しない設定釦を用いて入力したり、変更したり、後述する消去された通信プロファイルの項目を再入力したりすることが可能である。
【００２５】
この例では、「ＴＣＰ／ＩＰ設定」として、「ＩＰアドレス」、「サブネットマスク」、「ゲートウェイ」が設定される。また、「ＦＴＰクライアント設定」としては、「送信先サーバー名」、「ポート番号」、「ログイン名」、「パスワード」が設定される。
【００２６】
これらの設定に加え、通信手段として無線方式を使用する場合には以下の設定が必要となる。図２（ｂ）は本実施の形態に係る画像処理装置における無線通信を行う場合の通信プロファイルの設定画面の一例を示す図である。
【００２７】
各パラメータで枠で囲まれた項目が現在選択されている設定を表している。この例では、「無線形態」は「アドホック」が選択されている。また、「無線方式」は「１１ｂ」、「チャンネル」は「ＡＵＴＯ」、「暗号化」は「有効」、「ネットワーク認証」は「有効」、がそれぞれ選択されている。また、このほかに「ネットワーク名」、「ネットワークキー」、「パスワード」が設定される。
【００２８】
図２（ｃ）は本実施の形態に係る画像処理装置における通信プロファイルの自動消去に関する設定画面の一例を示す図である。
【００２９】
図中の画面左側には、通信プロファイルの自動消去を実行する消去開始動作状態が設定されている。ここでは、消去開始動作状態として、（１）電源スイッチオフ、（２）自動電源オフ、（３）メモリカード取り外し、（４）電池取り外し、（５）所定時間通信動作なし、が設定されている。
【００３０】
「電源スイッチオフ」は文字通りユーザによって、画像処理装置の不図示の電源スイッチがオフされる動作状態を表す。
【００３１】
「自動電源オフ」は一定時間だけ画像処理装置が操作されない場合に、制御部１０３により自動的に電源がオフされる動作状態を表す。
【００３２】
「メモリカード取り外し」はメモリカード１１３が画像処理装置から取り外される動作状態を表す。
【００３３】
「電池取り外し」は画像処理装置に電力を供給している電池を画像処理装置から取り外す動作状態を表す。
【００３４】
「所定時間通信動作なし」は、通信部１０６が所定時間だけ通信動作を行っていない動作状態を表す。この場合、画像処理装置は計時手段として不図示のタイマを有しており、制御部１０３の制御下、通信部１０６による通信動作の間隔を計測し、所定時間だけ通信動作が行われていないことを判断する。
【００３５】
また、図中の画面右側には、各消去開始動作状態に対して自動消去する通信プロファイルの設定項目が表示されている。自動消去する設定項目としては（ア）自動消去しない、（イ）ＴＣＰ／ＩＰの設定、（ウ）ＦＴＰの設定、（エ）無線ＬＡＮの設定、（オ）全ての設定、が選択できるようになっている。
【００３６】
この例においては、「電源スイッチＯＦＦ」、「自動電源ＯＦＦ」の動作状態に対しては「自動消去しない」が設定されている。また、「メモリカード取り外し」の動作状態に対しては「ＴＣＰ／ＩＰ設定」が消去されるように設定されている。また、「電池取り外し」、「所定時間通信動作なし」の動作状態に対しては「全ての設定」が消去されるように設定されている。このように、通信プロファイルの項目の全てを消去したり、一部を消去したり、消去しなかったりを任意に選択することができる。
【００３７】
これにより、「電源スイッチＯＦＦ」、「自動電源ＯＦＦ」といった、頻繁に行われる動作に対しては、通信プロファイルに対する消去動作を行わないようにすることができる。また、「メモリカード取り外し」といった、比較的頻度の少ない動作では、通信プロファイルの一部の項目のみを消去することができる。また、「電池取り外し」、「所定時間通信動作なし」といった、さらに頻度の少ない動作では通信プロファイルの全ての項目を消去することができる。
【００３８】
図３は本実施の形態に係る画像処理装置における通信プロファイルを自動消去する処理動作を説明するためのフローチャートである。
【００３９】
図３のフローチャートにおいて、ステップＳ３０１では、消去開始動作状態（通信プロファイル消去イベント）の一つが発生することにより通信プロファイルの自動消去動作が開始される。
【００４０】
ステップＳ３０２では、発生した消去開始動作状態に対して設定されている自動消去設定を判定する。「ＴＣＰ／ＩＰの設定」、「ＦＴＰの設定」、「無線ＬＡＮの設定」、「全ての設定」のいずれかが設定されている場合は、ステップＳ３０３へ進み消去動作を実行する。また、「自動消去なし」が設定されている場合は、ステップＳ３０４へ進む。
【００４１】
ステップＳ３０３では、発生した消去開始動作状態に対して設定されている自動消去設定に従って通信プロファイルを消去し、その後ステップＳ３０４へ進む。「ＴＣＰ／ＩＰの設定」が設定されているときは、図２（ａ）に表示されているＴＣＰ／ＩＰ設定の項目が消去される。「ＦＴＰの設定」が設定されているときは、図２（ａ）に表示されているＦＴＰクライアント設定の項目が消去される。「無線ＬＡＮの設定」が設定されているときは、図２（ｂ）に表示されている無線ＬＡＮ設定の項目が消去される。また、「全ての設定」が設定されているときは、図２（ａ）に表示されているＴＣＰ／ＩＰ設定、ＦＴＰクライアント設定、図２（ｂ）に表示されている無線ＬＡＮ設定の全ての項目が消去される。
【００４２】
ステップＳ３０４では、通信プロファイルの自動消去動作シーケンスを完了する。
【００４３】
このように消去開始動作状態の頻度に応じて、通信プロファイルの自動消去設定が行われることで、通信プロファイルの一部又は全ての項目が消去され、通信部１０６はネットワーク回線１１２を介しての通信を行うことができなくなる。したがって、通信プロファイルが設定されたままの状態での誤送信や、他のユーザによるなりすまし送信等を防ぎ、情報の漏洩を防ぐことが可能となる。
【００４４】
なお、他の変形例として、ＧＰＳや通信基地局の情報等から位置検知を行い、撮影場所が変更された場合にも、通信プロファイルの一部又は全ての項目を消去してもよい。このような場合にも、通信相手機器が変わっている可能性が高いからである。
【００４５】
また、指紋や網膜等、撮影者の認証手段が通信機器に備わっている場合には、その認識結果により、操作者が変わった事を認識し、通信プロファイルの一部又は全ての項目を消去してもよい。このような場合には、使用者によって望ましい通信相手機器が違う可能性が高いからである。
【００４６】
ＧＰＳや通信基地局の情報等から位置検知を行い、撮影場所が変更された動作状態や、指紋や網膜等、撮影者の認証手段を通信機器が備え、その認識結果により、操作者が変わった事を認識した動作状態を前述の消去動作開始状態に含めても、本発明は好適に実施が可能である。
【００４７】
以上のように、所定の期間よりも長くカメラの電源を入れていない場合や、所定の期間よりも長くデータ通信を行っていない場合や、メモリカードが変更された場合等は、撮影者の変更や通信相手機器の変更の可能性が高い。
【００４８】
また、他の変形例として、ＧＰＳや通信基地局の情報等から位置検知を行い、撮影場所が変更された場合にも、通信相手機器が変わっている可能性が高い。
【００４９】
また、指紋や網膜等、撮影者の認証手段が通信機器に備わっている場合には、その認識結果により、操作者が変わった事を認識できる。
【００５０】
上記のような場合には、やはり通信プロファイルの一部又は全てを消去させ、その後、再設定させることが望ましい。その際は、前述した図示しない設定釦を用いて、表示部１０４に表示される画面を見ながら再設定を行うように構成する。
【００５１】
このように、撮影者の変更、通信相手機器の変更、通信相手機器の通信設定の変更等が想定される場合には、通信プロファイルの少なくとも一部を再設定する。これにより、誤ってデータを送信する等のトラブルの発生を削減する。
【００５２】
逆に、少しの時間だけ電源を切った場合には、通信相手が変わることも考えにくいし、使用者も同じである場合が多い。このような場合には、上記のトラブルの発生があまり起きないであろうから、通信設定をいちいち手入力する手間を省くことができるメリットの方が大きいとも考えられる。また、電池を交換した場合等の使用者が変わるとも、変わらないとも考えにくい場合は、使用者が通信設定を手入力する手間を省くようにしても、再設定するようにしてもよく、使用者の任意で決めることができる。
【００５３】
また、トラブル発生の可能性の高さに応じて、通信プロファイルで消去される情報量を大きくすることで、より一層、誤送信や、他のユーザによるなりすまし送信等を防ぎ、情報の漏洩を強固に防ぐことが可能となる。
【００５４】
（第２の実施の形態）
上記第１の実施の形態では、画像処理装置に消去開始動作状態が発生したときに、通信プロファイルの一部又は全ての項目を消去するような構成をとった。
【００５５】
本第２の実施の形態に係る画像処理装置では、無効化開始動作が発生したときに、一時的に通信プロファイルの一部又は全ての項目を無効とし、無効化開始動作が終了すると無効にした通信プロファイルを有効とするような構成をとる。
【００５６】
なお、本第２の実施の形態に係る画像処理装置の機能構成は第１の実施の形態のもの同様であるため、説明は省略するが、以下の説明において第１の実施の形態の説明で用いた図及び図中で示したものを用いる。また、便宜上、本第２の実施の形態においては、図１に示した通信部１０６を介した通信手段を「第１の通信手段」、シリアルＩ／Ｆ１０８を介した通信手段を「第２の通信手段」と定義する。
【００５７】
本第２の実施の形態に係る画像処理装置のシリアルバス１１１において、プリンタ等の印刷装置を接続することができる。メモリカード１１３に書き込まれた画像ファイルを表示部１０４に再生し、所望の画像を表示した後、図示しない印刷開始ボタンを操作することで表示部１０４に表示されている画像がシリアルＩ／Ｆ１０８とシリアルバス１１１を介してプリンタに送信される。プリンタは受信した画像データを印刷し、印刷が完了したことを画像処理装置に対して通知するように構成される。
【００５８】
本明細書において、印刷開始ボタンを操作してからプリンタに画像データを送信し、プリンタが画像データを認識し完了通知を受信するまでの通信動作を「プリント動作」と呼ぶ。
【００５９】
また、本第２の実施の形態に係る画像処理装置のシリアルバス１１１において、パーソナルコンピュータ等の情報処理端末を接続することができる。メモリカード１１３に格納されている画像データをシリアルＩ／Ｆ１０８とシリアルバス１１１を介して情報処理端末に送信することができる。また、情報処理端末から画像処理装置に対して、撮影パラメータの設定や現像パラメータの設定を行い、撮影を行うこともできる。
【００６０】
本明細書において、情報処理端末とシリアルバス１１１を介してデータの送受信を行う通信動作を「リモート接続動作」と呼ぶ。
【００６１】
以上説明した、「プリント動作」及び「リモート接続動作」は、シリアルＩ／Ｆ１０８を介した「第２の通信手段」を用いて、画像データのやり取りを行う動作である。
【００６２】
図４は本実施の形態に係る画像処理装置における通信プロファイルの無効化に関する設定画面の一例である。
【００６３】
図中の画面左側には、通信プロファイルの無効化を実行する無効化開始動作が設定されている。ここでは、無効化開始動作として、（ａ）プリント、（ｂ）リモート接続、が設定されている。
【００６４】
また、図中の画面右側には、各無効化開始動作に対して無効化する通信プロファイルの設定項目が表示されている。無効化する設定項目としては（ア）無効化なし、（イ）ＴＣＰ／ＩＰの設定、（ウ）ＦＴＰの設定、（エ）無線ＬＡＮの設定、（オ）全ての設定、が選択できるようになっている。
【００６５】
この例においては、「プリント」の動作状態に対しては「ＦＴＰの設定」が無効化されるように設定されている。また、「リモート接続」の動作状態に対しては「全ての設定」が無効化されるように設定されている。
【００６６】
このように通信プロファイルの無効化設定が行われていると、「第２の通信手段」を用いた通信を含む動作である無効化開始動作が発生したときに、「第１の通信手段」を用いた通信の通信プロファイルの一部又は全ての項目が無効化され、通信部１０６はネットワーク回線１１２を介しての通信を行うことができなくなる。
【００６７】
無効化開始動作が正常終了すると、無効化されていた通信プロファイルの一部又は全ての項目が有効化され、通信部１０６は再びネットワーク回線１１２を介しての通信を行うことができるようになる。
【００６８】
しかし、無効化動作が中断されたり、正常に終了できなかったりした場合は、無効化された通信プロファイルは有効化されず、通信部１０６はネットワーク回線１１２を介しての通信を行えないままとなるように構成する。
【００６９】
図５は本実施の形態に係る画像処理装置における通信プロファイルを無効化する処理動作を説明するためのフローチャートである。
【００７０】
図５のフローチャートにおいて、ステップＳ５０１では、無効化開始動作（通信プロファイルの無効化イベント）の一つが発生することにより通信プロファイルの無効化動作が開始される。
【００７１】
ステップＳ５０２では、発生した無効化開始動作に対して設定されている無効化設定を判定する。「ＴＣＰ／ＩＰの設定」、「ＦＴＰの設定」、「無線ＬＡＮの設定」、「全ての設定」のいずれかが設定されている場合は、ステップＳ５０３へ進み無効化動作を実行する。また、「無効化なし」が設定されている場合は、ステップＳ５０７へ進む。
【００７２】
ステップＳ５０３では、発生した無効化開始動作に対して設定されている自動無効化設定に従って通信プロファイルを無効化し、その後ステップＳ５０４へ進む。「ＴＣＰ／ＩＰの設定」が設定されているときは、図２（ａ）に表示されているＴＣＰ／ＩＰ設定の項目が無効化される。「ＦＴＰの設定」が設定されているときは、図２（ａ）に表示されているＦＴＰクライアント設定の項目が無効化される。「無線ＬＡＮの設定」が設定されているときは、図２（ｂ）に表示されている無線ＬＡＮ設定の項目が無効化される。また、「全ての設定」が設定されているときは、図２（ａ）に表示されているＴＣＰ／ＩＰ設定、ＦＴＰクライアント設定、図２（ｂ）に表示されている無線ＬＡＮ設定の全ての項目が無効化される。
【００７３】
ステップＳ５０４では、無効化開始動作が実行される。「プリント動作」であれば、表示部１０４に表示されている画像がシリアルＩ／Ｆ１０８とシリアルバス１１１を介してプリンタに送信される。プリンタは受信した画像データを印刷し、印刷が完了したことを画像処理装置に対して通知する。また、「リモート接続動作」であれば、メモリカード１１３に格納されている画像データをシリアルＩ／Ｆ１０８とシリアルバス１１１を介して情報処理端末に送信したり、情報処理端末から画像処理装置に対して、撮影パラメータの設定や現像パラメータの設定を行い、さらには撮影動作を行ったりする。
【００７４】
ステップＳ５０５では、無効化開始動作が正常に終了したかどうかが判定される。「プリント動作」であれば、プリンタからの印刷完了通知を受信したかどうか、また、「リモート接続動作」であれば、情報処理端末とのデータ送受信が正しく行われているかどうか等が判定される。正常終了と判定されたときは、ステップＳ５０６へ進み、無効化されている通信プロファイルを有効化する。正常終了していないと判定されたときは、ステップＳ５０７へ進み、通信プロファイルの無効化動作シーケンスを完了する。
【００７５】
ステップＳ５０６では、無効化されている通信プロファイルを有効化する。「ＴＣＰ／ＩＰの設定」が無効化されているときは、図２（ａ）に表示されているＴＣＰ／ＩＰ設定の項目が有効化される。「ＦＴＰの設定」が無効化されているときは、図２（ａ）に表示されているＦＴＰクライアント設定の項目が有効化される。「無線ＬＡＮの設定」が無効化されているときは、図２（ｂ）に表示されている無線ＬＡＮ設定の項目が有効化される。また、「全ての設定」が無効化されているときは、図２（ａ）に表示されているＴＣＰ／ＩＰ設定、ＦＴＰクライアント設定、図２（ｂ）に表示されている無線ＬＡＮ設定の全ての項目が有効化される。
【００７６】
ステップＳ５０７では、通信プロファイルの無効化動作シーケンスを完了する。
【００７７】
以上のように、本第２の実施の形態に係る画像処理装置では、無効化開始動作に応じ、通信プロファイルを無効にして一時的に通信不能とし、無効化開始動作が終了した後に、通信プロファイルを有効にさせて、ネットワーク接続可能とするように構成した。これにより、面倒なネットワークへ接続するための設定をユーザが行う必要が無くなり、所定の動作処理中の一時的なネットワークからの切り離しと、動作終了後のネットワーク接続に関する操作を著しく向上することが可能となった。特に、２つの通信手段が接続されている場合において、一方の通信時には他方が通信できないように構成したため、誤操作によって意図せず、画像データを誤送信してしまい情報が漏洩してしまうことを防止し、セキュリティ性の高い画像処理装置を提供することができる。
【００７８】
以上説明してきた画像処理装置の動作と通信プロファイルの一部又は全ての項目を消去したり、一時的に無効化したりする動作の関係は上述の実施の形態の具体的な記述に限定されるものではなく、画像処理装置の仕様や想定されるユーザ層等によって、様々な実施形態が考えられることはいうまでもない。
【００７９】
例えば、上述の実施の形態においては、通信プロファイルの項目として、「ＴＣＰ／ＩＰの設定」、「ＦＴＰの設定」、「無線ＬＡＮの設定」を具体的に記述したがこれに限定されるものではない。例えば「シリアル通信の設定」、「パラレル通信の設定」等、ネットワーク通信に係る設定を含むものとし、これらの設定を上述実施の形態に適用しても、本発明を好適に実施し得て、セキュリティ性の高い画像処理装置を提供することができる。
【００８０】
また、上述の実施の形態においては撮像装置を例にとって説明したが、例えば撮像機能を有する携帯電話機等も含み、本発明は画像データを生成することのできる画像処理装置全般的に好適に実施することができる。
【００８１】
なお、本発明の目的は、上述した実施形態の機能を実現するソフトウェアのプログラムコードを記録した記憶媒体を、システム或いは装置に供給し、そのシステム或いは装置のコンピュータ（又はＣＰＵやＭＰＵ）が記憶媒体に格納されたプログラムコードを読み出し実行することによっても、達成されることは言うまでもない。
【００８２】
この場合、記憶媒体から読み出されたプログラムコード自体が上述した実施形態の機能を実現することになり、プログラムコード自体及びそのプログラムコードを記憶した記憶媒体は本発明を構成することになる。
【００８３】
プログラムコードを供給するための記憶媒体としては、例えば、フレキシブルディスク、ハードディスク、光ディスク、光磁気ディスク、ＣＤ−ＲＯＭ、ＣＤ−Ｒ、磁気テープ、不揮発性のメモリカード、ＲＯＭ等を用いることができる。
【００８４】
また、コンピュータが読み出したプログラムコードを実行することにより、上述した実施形態の機能が実現されるだけでなく、そのプログラムコードの指示に基づき、コンピュータ上で稼動しているＯＳ（基本システム或いはオペレーティングシステム）等が実際の処理の一部又は全部を行い、その処理によって上述した実施形態の機能が実現される場合も含まれることは言うまでもない。
【００８５】
さらに、記憶媒体から読み出されたプログラムコードが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵ等が実際の処理の一部又は全部を行い、その処理によって上述した実施形態の機能が実現される場合も含まれることは言うまでもない。
【図面の簡単な説明】
【００８６】
【図１】本発明の実施の形態に係る画像処理装置の機能構成を示すブロック図である。
【図２】本発明の第１の実施の形態に係る画像処理装置の画面表示の例を示す図である。
【図３】本発明の第１の実施の形態に係る画像処理装置の処理動作を説明するためのフローチャートである。
【図４】本発明の第２の実施の形態に係る画像処理装置の画面表示の例を示す図である。
【図５】本発明の第２の実施の形態に係る画像処理装置の処理動作を説明するためのフローチャートである。
【符号の説明】
【００８７】
１０１  撮像部
１０２  現像処理部
１０３  制御部
１０４  表示部
１０５  プログラム記憶部
１０６  通信部
１０７  メモリ部
１０８  シリアルインタフェース
１０９  メモリカード・インタフェース
１１０  データバス
１１１  シリアルバス
１１２  ネットワーク回線
１１３  メモリカード
【図１】
0004795011.tif 000002
【図２】
0004795011.tif 000003
【図３】
0004795011.tif 000004
【図４】
0004795011.tif 000005
【図５】
0004795011.tif 000006